(57)【特許請求の範囲】
【請求項１】
乗物本体上に設けられた設置物と隣り合う側面部に沿って、該設置物との間の隙間を詰める隙詰め部材が設けられた乗物用シートであって、
前記隙詰め部材が、前記側面部に沿って水平方向に延びる第１の隙詰め部と、該第１の隙詰め部に対して重力方向に傾いた形で前記側面部の水平方向の端部に向かって延びる第２の隙詰め部と、を有し、かつ、全体が略Ｄ字状の一様な中空断面形状を持つ１本の長尺な部材から成り、Ｄ字の潰れた側面部分が前記側面部に沿って凹んで形成された凹条内に複数のクリップにより面当接する形に嵌め込まれた状態として締結される乗物用シート。
【請求項２】
請求項１に記載の乗物用シートであって、
前記第２の隙詰め部が、アーチ状に湾曲した形に形成されている乗物用シート。
【請求項３】
請求項１又は請求項２に記載の乗物用シートであって、
前記第１の隙詰め部が、前記側面部に沿って略水平な形に延びる形状とされている乗物用シート。
【請求項４】
請求項１から請求項３のいずれかに記載の乗物用シートであって、
前記第２の隙詰め部が、前記側面部の水平方向の端部領域において同端部に向かって上側に膨らみを向けて重力方向に湾曲する形に形成されている乗物用シート。
【発明の詳細な説明】
【技術分野】
【０００１】
本発明は、乗物用シートに関する。詳しくは、乗物本体上に設けられた設置物と隣り合う側面部に沿って、設置物との間の隙間を詰める隙詰め部材が設けられた乗物用シートに関する。
【背景技術】
【０００２】
従来、自動車用のシートにおいて、シートクッションの車両内側の側部に、同側部と隣り合うセンターコンソールとの間の隙間を詰める隙詰め部材が設けられたものが知られている（特許文献１）。上記隙詰め部材は、シートクッションの車両内側の側部を被覆するカーペット材の途中箇所が車両内側に張り出す形に折り曲げられて縫合されることにより形成されている。上記隙詰め部材は、上方側に面を向けた形状とされて、上記隙間内に落ちた小物を引掛けて脱落させないようにする構成となっている。
【先行技術文献】
【特許文献】
【０００３】
【特許文献１】特開２０１４−８３８号公報
【発明の概要】
【発明が解決しようとする課題】
【０００４】
しかし、上記従来技術では、隙詰め部材が前後方向に真っ直ぐに延びる水平な形に設けられているため、隙詰め部材の上面に落ちた小物を簡便に取り出すことができない。上記隙詰め部材は、隙間内のあまり浅い位置に設けられていると、外観に表れて認識できるようになってしまい、見栄えを損ないやすくなってしまうため、ある程度深い位置に設けられることで上記のような問題が生じることとなる。本発明は、上記問題を解決するものとして創案されたものであって、本発明が解決しようとする課題は、乗物用シートの側部に、同側部と隣り合う設置物との間の隙間を詰めると共に隙間内に落ちた小物を取り出しやすい隙詰め部材を設定することにある。
【課題を解決するための手段】
【０００５】
上記課題を解決するために、本発明の乗物用シートは次の手段をとる。
【０００６】
第１の発明は、乗物本体上に設けられた設置物と隣り合う側面部に沿って、設置物との間の隙間を詰める隙詰め部材が設けられた乗物用シートである。隙詰め部材が、上記側面部に沿って水平方向に延びる第１の隙詰め部と、第１の隙詰め部に対して重力方向に傾いた形で側面部の水平方向の端部に向かって延びる第２の隙詰め部と、を有する。
【０００７】
この第１の発明によれば、隙詰め部材の上に落ち込んだ小物を、第１の隙詰め部において比較的高い位置で受け止めることができると共に、第２の隙詰め部の傾きによって側面部の水平方向の端部に向けて押し出しやすくすることができる。したがって、隙間内に落ちた小物を取り出しやすくすることができる。
【０００８】
第２の発明は、上述した第１の発明において、次の構成とされているものである。第２の隙詰め部が、アーチ状に湾曲した形に形成されている。
【０００９】
この第２の発明によれば、第２の隙詰め部が、側面部の水平方向の端部に向かうに連れて重力方向への落ち込みが漸次緩やかな角度から急激な角度へと変化していく形状となる。したがって、隙詰め部材の上に落ち込んだ小物を第２の隙詰め部の傾きに沿って側面部の水平方向の端部に向けて押し出していく過程で、小物を隙間内の比較的手の届きやすい浅い位置を通して隙間の外へと落とし込むように導くことができる。
【００１０】
第３の発明は、上述した第１又は第２の発明において、次の構成とされているものである。第１の隙詰め部が、側面部に沿って略水平な形に延びる形状とされている。
【００１１】
この第３の発明によれば、隙間内に落ち込んだ小物を、第１の隙詰め部において意図しない方向に滑り落とすことなく定位置で受け止めることができる。
【００１２】
第４の発明は、上述した第１から第３のいずれかの発明において、次の構成とされているものである。第２の隙詰め部が、側面部の水平方向の端部領域において同端部に向かって上側に膨らみを向けて重力方向に湾曲する形に形成されている。
【００１３】
この第４の発明によれば、第２の隙詰め部の上記湾曲した形状によって、上記隙間の水平方向の端部の開口が開口付近で高さ方向に広く覆われた状態となるため、上記開口からの隙間内への異物の入り込みも防ぐことができる。
【図面の簡単な説明】
【００１４】
【図１】実施例１の乗物用シートの概略構成を表した斜視図である。
【図２】乗物用シートの要部を強調して表した正面図である。
【図３】同平面図である。
【図４】同後ろ側から見た斜視図である。
【図５】要部の分解斜視図である。
【図６】要部を裏側から見た斜視図である。
【図７】図３のVII-VII線断面図である。
【図８】乗物用シートを後ろ側へスライドさせてポケットを露出させた状態を表した斜視図である。
【図９】他の実施例の構成を表した側面図である。
【図１０】他の実施例の構成を表した側面図である。
【発明を実施するための形態】
【００１５】
以下に、本発明を実施するための形態について、図面を用いて説明する。
【実施例１】
【００１６】
始めに、実施例１のシート１（乗物用シート）の構成について、図１〜図８を用いて説明する。なお、以下の説明中、「車両内側」「車両外側」と記載する場合には、それぞれ、車両の幅方向における「内側」「外側」を示すものとする。本実施例のシート１は、図１に示すように、３列シートを備えたいわゆるミニバンタイプの自動車におけるセカンドシート、詳しくは運転席の後ろ側のセカンドシートとして構成されている。上記シート１は、着座者の背凭れとなるシートバック２と、着座部となるシートクッション３と、頭凭れとなるヘッドレスト４と、シートクッション３の左右両側部に立設された立壁状の支持台１０と、を備えた構成となっている。
【００１７】
上述したシートバック２は、その下端部がシートクッション３の後端部に連結されて設けられている。シートクッション３は、車両のフロアＦ上に図示しない左右一対のスライドレールを間に介して前後スライド可能な状態に連結されて設けられている。ヘッドレスト４は、シートバック２の上部に装着されて設けられている。各支持台１０は、それぞれ、縦長な箱型形状に形成されており、それらの幅方向の内側の側部がシートクッション３の左右両側部にそれぞれ一体的に結合されて設けられている。
【００１８】
上述した各支持台１０は、それらの上面部がアームレスト１１として構成されている。また、各支持台１０は、それらの外側面部が、アームレスト１１の下部領域とシートクッション３及びその下部領域とをそれぞれ前後方向の略全域に亘って外側から広く覆い、車両のフロアＦ上に接地する近傍位置まで下方側に略寸胴な形で延びる形に形成されている。このうち、車両内側の側部に設けられた支持台１０は、その外側面部が、ポリプロピレン樹脂製のサイドシールド１２によって構成されている。そして、上記サイドシールド１２には、シート１と幅方向に隣り合わせる横隣りのシート１００の支持台１１０との間に形成される幅方向の隙間Ａを詰めるための隙詰め部材２０が設けられている（図２〜図３参照）。ここで、上記横隣りのシート１００の支持台１１０が、本発明の「設置物」に相当し、サイドシールド１２が、本発明の「側面部」に相当し、フロアＦが、本発明の「乗物本体」に相当する。
【００１９】
なお、以下の説明において、「隙間Ａ」とは、上述した車両内側の支持台１０の外側面部を構成するサイドシールド１２とその横隣りの支持台１１０との間の幅方向の隙間を指すが、隙詰め部材２０によって覆われることで小物の落下が防止された領域、又はこの領域を含めた隙間全体の領域を指して同じように「隙間Ａ」と表現することがある。
【００２０】
上述した隙詰め部材２０は、図１〜図３に示すように、上述した支持台１０とその横隣りの支持台１１０との間の隙間Ａを、上方側と前方側とから覆った形となるように、前後方向に略水平な形に延びる第１の隙詰め部２０Ａと、第１の隙詰め部２０Ａの前端からアーチ状に前下方向に湾曲した形に延びる第２の隙詰め部２０Ｂと、を連続的に滑らかに繋げた形で有する形に形成されている。上記第１の隙詰め部２０Ａは、シートクッション３の着座面よりも高い上部寄りの位置に配設されており、着座者が第１の隙詰め部２０Ａの上に落ちた小物に簡単に手を届かせることのできる位置に配置された状態とされている。
【００２１】
上記第１の隙詰め部２０Ａは、詳しくは、上記サイドシールド１２の前後方向の略中央箇所と略後端箇所との間で、前後方向に略水平な形に延びる形状とされている。上記第１の隙詰め部２０Ａの前端が位置するサイドシールド１２の前後方向の略中央箇所は、着座者のヒップポイント（図示省略）よりも前側に位置する箇所となっている。第２の隙詰め部２０Ｂは、上述した第１の隙詰め部２０Ａの前端となるサイドシールド１２の前後方向の略中央の上部寄りの箇所とサイドシールド１２の略前端の下端箇所との間で、アーチ状に前下方向に湾曲した形に延びる形状とされている。
【００２２】
このような構成となっていることにより、隙詰め部材２０は、上記隙間Ａ内の前後方向の略中央箇所から後ろ側の領域に小物が落ちた場合には、同位置の直下に設けられた第１の隙詰め部２０Ａによって、落ちた小物を比較的手の届かせやすい高い位置で安定して受け止めることができるようになっている。また、隙詰め部材２０は、上記隙間Ａ内の前後方向の中央から前側の領域に小物が落ちた場合には、同位置の直下に設けられた第２の隙詰め部２０Ｂによって、落ちた小物を前側に滑り落とすように導くことができるようになっている。
【００２３】
更に、上記隙詰め部材２０は、上記のように第２の隙詰め部２０Ｂがサイドシールド１２の略前端の領域にアーチ状に前下方向に湾曲した形に設けられていることにより、支持台１０とその横隣りの支持台１１０との間の隙間Ａを前方側からも高さ方向の広い範囲に亘って前端寄りの位置で覆った状態に設けられるようになっている。これにより、上記隙詰め部材２０は、上記第２の隙詰め部２０Ｂによって前側から異物が隙間Ａ内に入り込むことを防ぐことができる他、仮に上記隙間Ａ内に前側から異物が入り込んでしまっても、その異物を第２の隙詰め部２０Ｂの傾き形状に沿って隙間Ａの前側の外部に滑り落とすことができるようになっている。
【００２４】
以下、上述した隙詰め部材２０の具体的な構成について、サイドシールド１２の具体的な構成と併せて詳しく説明していく。図４〜図６に示すように、上述したサイドシールド１２は、概略平板形状とされているが、その高さ方向の途中箇所に、同箇所より下側の下部領域１２Ｃを上側の上部領域１２Ａよりも外側へ張り出させる形にする段差部１２Ｂが形成された構成となっている。上記段差部１２Ｂは、上述した隙詰め部材２０と同じように、サイドシールド１２の前後方向の略中央の上部寄りの箇所から後端箇所まで後ろ方向に略水平な形に延びる部分と、サイドシールド１２の上記前後方向の略中央の上部寄りの箇所から前端の下端箇所までアーチ状に前下方向に湾曲した形に延びる部分と、を滑らかに繋げた形で有する形状とされている。
【００２５】
上記段差部１２Ｂは、その段差の天板面が前方側に向けられて形成される前端側の領域では、天板面がサイドシールド１２の上部領域１２Ａから外側に向けて略垂直な角度で立ち上がる形状とされている。しかし、上記段差部１２Ｂは、その段差の天板面が上方側に向けられて形成される前後方向の中間箇所から後端箇所までの領域では、天板面が外側に向けて略垂直な角度で立ち上がるのではなく、外側に向けて下向きに傾斜した形で立ち上がる形状とされている（図７の仮想線参照）。これにより、上記段差部１２Ｂを介したサイドシールド１２の上部領域１２Ａと下部領域１２Ｃとの間の段差形状は、外側に向けて急激的に立ち上がるのではなく、重力方向に斜めに傾いて張り出す緩やかに立ち上がる形に形成された状態とされている。このように段差部１２Ｂが斜めになっていることで、隙間Ａ内に落ちた小物をより確実に隙詰め部材２０に向けて案内することができるようになっている。すなわち、上記段差部１２Ｂの斜めの案内により、隙間Ａ内に落ちた小物を、サイドシールド１２と隙詰め部材２０との繋ぎ目の角部に詰まらせるのではなく、角部から外側に離間させた面部上に落とし込みやすくなっている。
【００２６】
そして、図４〜図６に示すように、上記段差の付いた形に形成されたサイドシールド１２に対し、隙詰め部材２０は、上記段差によって外側に張り出す形とされた下部領域１２Ｃの上縁に沿って設けられている。このような形で隙詰め部材２０が設けられていることにより、上記サイドシールド１２の上部領域１２Ａとその横隣りの支持台１１０との間の横幅の広い隙間Ａ内への小物の落ち込みは許容されるが、サイドシールド１２の下部領域１２Ｃとその横隣りの支持台１１０との間の横幅の狭い隙間Ａ内への小物の落ち込みは、上記隙詰め部材２０によって防止されるようになっている。
【００２７】
したがって、上記サイドシールド１２とその横隣りの支持台１１０との間の隙間Ａ内に落ち込んだ小物は、上述した隙詰め部材２０によって受け止められることで、隙間Ａの直下のフロアＦ上への落ち込みが防止された状態となる。上記隙詰め部材２０は、上述したサイドシールド１２の下部領域１２Ｃの上縁に沿って設けられていることで、隙詰め部材２０の上部にて受け止められた小物を、サイドシールド１２の上部領域１２Ａとその横隣りの支持台１１０との間の横幅の広い空間領域に位置させられるようになっている。したがって、上記隙詰め部材２０によって受け止められた小物に比較的容易に手を届かせて、小物を掴み取ったり、或いは小物を前方側へ押し滑らせて第２の隙詰め部２０Ｂの傾き形状に沿って隙間Ａの前側の外部に簡単に滑り落としたりすることができる。
【００２８】
ところで、上述したサイドシールド１２の外側部には、雑誌等の幅広な小物を上から差し込んで収容することのできるポケットＰが形成されている。上記ポケットＰは、上述したサイドシールド１２の段差部１２Ｂの天板の一部に高さ方向に貫通して形成された差込口１２Ｄと、サイドシールド１２の下部領域１２Ｃの高さ方向の中央部に幅方向に貫通して形成された取出口１２Ｅと、サイドシールド１２の背面部（内側面部）に取り付けられてポケットＰの収容空間を形成する樹脂製の裏当て部材１３と、によって構成されている。
【００２９】
上述した差込口１２Ｄは、上述した段差部１２Ｂの略水平な形に延びる部分となるサイドシールド１２の前後方向の略中央領域から後端近傍の領域にかけて、前後方向に長尺な開口幅を有した形に形成されている。取出口１２Ｅは、上述した差込口１２Ｄと高さ方向に並ぶ位置に、差込口１２Ｄと同じ前後方向の開口幅を有した形に形成されている。裏当て部材１３は、上述したサイドシールド１２の背面部に対して、上述した差込口１２Ｄと取出口１２Ｅとを背面側からひとまとめに覆い被せた状態にセットされて、その周縁部がビス１３Ａによりサイドシールド１２の背面部に締結されて設けられた状態とされている。
【００３０】
上記構成により、サイドシールド１２の外側部に形成された上方側に開口する差込口１２Ｄから雑誌等の小物を重力方向に差し込むことで、差し込んだ小物をサイドシールド１２の背面部（内側面部）と裏当て部材１３とによって囲まれた空間内に挟み込む形で真っ直ぐに立てた状態に保持することのできるポケットＰが形成されている。上記ポケットＰの収容空間を構成する裏当て部材１３は、その収容空間の底面部を構成する下縁部が、略水平な底面部を成す形に折り曲げられて、上述したサイドシールド１２の取出口１２Ｅの下縁部より僅かに低い位置に背面側からあてがわれて取り付けられた状態とされている。したがって、上記ポケットＰの差込口１２Ｄ内に小さな小物が入り込んでしまった場合には、その小物は、上記裏当て部材１３の底面部上に落ち込んで、取出口１２Ｅから見えやすく手を届かせやすい位置に配置されるようになっている。
【００３１】
上記ポケットＰは、上述したように、サイドシールド１２の前後方向の略中央箇所から後端近傍の箇所にかけて形成されている。したがって、図１及び図３に示すように、サイドシールド１２が横隣りの支持台１１０と前後方向の配置が並ぶ横並びの状態となっている時には、上述した取出口１２Ｅが横隣りの支持台１１０によって覆い被されていることから、取出口１２Ｅに手を届かせることができない。しかし、上記取出口１２Ｅは、上述したように、サイドシールド１２の前後方向の略中央箇所から後端近傍の箇所にかけて形成されていることから、図８に示すように、シート１を後方側にスライドさせて取出口１２Ｅを横隣りの支持台１１０より後ろ側に張り出させる位置まで移動させることで、簡便に取出口１２Ｅを外部に露出させた状態にすることができる。したがって、ポケットＰ内に落ち込んだ小物を、スライドによって外部に露出させた取出口１２Ｅから簡便に取り出すことができる。
【００３２】
次に、図４〜図６を参照して、隙詰め部材２０の構成について説明する。隙詰め部材２０は、ゴム製のチューブ２１と、チューブ２１の表面に巻かれた布製のカバー２２と、チューブ２１の長手方向の複数箇所に取り付けられた複数のクリップ２３と、によって構成されている。上述したチューブ２１は、図５及び図７に示すように、略Ｄ字状の一様な中空断面形状を持つ１本の長尺な部材として形成されている。カバー２２は、チューブ２１の表面全体に一体的に接着されて被せ付けられた状態とされている。各クリップ２３は、上述したチューブ２１のＤ字の潰れた側面部分に一部が一体的に埋設された状態として、それらの先端部がＤ字の潰れた側面部分から外側に突出した状態に設けられた状態とされている。上記各クリップ２３は、上述したチューブ２１のＤ字の潰れた側面部分に沿って、チューブ２１の延びる長手方向に複数並んで設けられた状態とされている。
【００３３】
上述した隙詰め部材２０は、上述したサイドシールド１２の下部領域１２Ｃの上縁に沿って外側部に凹んで形成された凹条１２Ｆ内に次のように一部が嵌め込まれる形で一体的に取り付けられた状態とされている。先ず、図５に示すように、隙詰め部材２０を、上述したチューブ２１のＤ字の潰れた側面部分をサイドシールド１２の外側部に向けた状態にして、各クリップ２３をサイドシールド１２の凹条１２Ｆの側面部分に貫通して形成された対応する各締結孔１２Ｆ１内に差し込んで締結する。これらの締結は、各クリップ２３の先端部がサイドシールド１２の各締結孔１２Ｆ１内に差し込まれることで、各クリップ２３の先端部が各締結孔１２Ｆ１の形に合わせて弾性変形した後に、各締結孔１２Ｆ１の形に合わせて復元変形して掛け合わされて行われるようになっている。
【００３４】
上記各クリップ２３の差し込みによる締結により、隙詰め部材２０は、図７に示すように、そのチューブ２１のＤ字の潰れた側面部分がサイドシールド１２の凹条１２Ｆの外側面部に面当接した状態に組み付けられる。この組み付けにより、隙詰め部材２０は、その断面の一部が凹条１２Ｆの内部に嵌め込まれた状態となって、図５で前述した凹条１２Ｆの前後方向に延びる湾曲した形に沿って湾曲した形に組み付けられた状態となる。そして、上記組み付けの後、図５に示すように、隙詰め部材２０の長手方向の各端部を、サイドシールド１２の凹条１２Ｆの各端部に貫通して形成された各通し孔１２Ｆ２からサイドシールド１２の裏側（内側）へと通して内側部に止着させることにより、隙詰め部材２０の両端部が丸みを帯びた形でサイドシールド１２内に引き込まれた見栄えの良い外観に仕上げられた状態とされている。また、上記のような凹条１２Ｆ内に隙詰め部材２０の一部を埋め込んだ状態にして設けることにより、上記隙詰め部材２０の一部が凹条１２Ｆにより下方側から支持されて、隙詰め部材２０の上部に落ち込んだ小物を隙詰め部材２０によって安定して受け止めることができるようになっている。
【００３５】
上記のように設けられた隙詰め部材２０は、図７に示すように、そのサイドシールド１２から幅方向の外側に向かって断面Ｄ字状に突出する形状により、サイドシールド１２と横隣りの支持台１１０（図１〜図３参照）との間の隙間Ａを詰めるようになっている。上記隙詰め部材２０は、その幅方向の外側に突出するＤ字の先端部分が、横隣りの支持台１１０と近接する位置まで張り出す構成とされている。上記隙詰め部材２０は、このような構成とされていることにより、上記丸みを帯びた形で突出するＤ字の先端部分が、組み付け誤差等の製造誤差により横隣りの支持台１１０と干渉することがあっても、その先細り状に丸みを帯びた先端部分が部分的に点接触する形で横隣りの支持台１１０に押し当てられるようになっている。したがって、隙詰め部材２０は、上記のように横隣りの支持台１１０と干渉することがあっても、その先端形状が上下方向に反り返されるような見栄えの悪い形に変形するのではなく、幅方向の内側に真っ直ぐに押し撓まされて、Ｄ字の上面が僅かに上方側に膨らむ程度の見栄えの損なわれにくい形に変形するようになっている。
【００３６】
上記隙詰め部材２０は、その主要部が中空断面形状のゴム製のチューブ２１によって形成されていることから、その断面Ｄ字の丸みを帯びた先端部分と横隣りの支持台１１０との間の狭い隙間Ａ内に小物が落ちた場合でも、チューブ２１を押し凹ませながら小物を簡単に取り出すことができるようになっている。また、上記隙詰め部材２０は、ゴム製のチューブ２１の表面に布製のカバー２２が被せ付けられた構成となっていることから、見栄えが良いばかりでなく、隙詰め部材２０の上部に小物が落ちた際に、小物を隙詰め部材２０の表面に沿って滑らかに滑らせながら取り出しやすい位置まで移動させたり隙間Ａの外に落としたりすることができるようになっている。
【００３７】
以上をまとめると、本実施例のシート１（乗物用シート）は、次のような構成となっている。すなわち、フロアＦ（乗物本体）上に設けられた横隣りの支持台１１０（設置物）と隣り合うサイドシールド１２（側面部）に沿って、横隣りの支持台１１０との間の隙間Ａを詰める隙詰め部材２０が設けられたシート１である。隙詰め部材２０が、上記サイドシールド１２に沿って前後方向（水平方向）に延びる第１の隙詰め部２０Ａと、第１の隙詰め部２０Ａに対して重力方向に傾いた形でサイドシールド１２の前方向（水平方向）の端部に向かって延びる第２の隙詰め部２０Ｂと、を有する。
【００３８】
このような構成となっていることにより、隙詰め部材２０の上に落ち込んだ小物を、第１の隙詰め部２０Ａにおいて比較的高い位置で受け止めることができると共に、第２の隙詰め部２０Ｂの傾きによってサイドシールド１２の前方向（水平方向）の端部に向けて押し出しやすくすることができる。したがって、隙間Ａ内に落ちた小物を取り出しやすくすることができる。
【００３９】
また、第２の隙詰め部２０Ｂが、アーチ状に湾曲した形に形成されている。このような構成となっていることにより、第２の隙詰め部２０Ｂが、サイドシールド１２の前方向（水平方向）の端部に向かうに連れて重力方向への落ち込みが漸次緩やかな角度から急激な角度へと変化していく形状となる。したがって、隙詰め部材２０の上に落ち込んだ小物を第２の隙詰め部２０Ｂの傾きに沿ってサイドシールド１２の前方向（水平方向）の端部に向けて押し出していく過程で、小物を隙間Ａ内の比較的手の届きやすい浅い位置を通して隙間Ａの外へと落とし込むように導くことができる。
【００４０】
また、第１の隙詰め部２０Ａが、サイドシールド１２に沿って略水平な形に延びる形状とされている。このような構成となっていることにより、隙間Ａ内に落ち込んだ小物を、第１の隙詰め部２０Ａにおいて意図しない方向に滑り落とすことなく定位置で受け止めることができる。
【００４１】
また、第２の隙詰め部２０Ｂが、サイドシールド１２の前方向（水平方向）の端部領域において同端部に向かって上側に膨らみを向けて重力方向に湾曲する形に形成されている。このような構成となっていることにより、第２の隙詰め部２０Ｂの上記湾曲した形状によって、上記隙間Ａの前方向（水平方向）の端部の開口が開口付近で高さ方向に広く覆われた状態となるため、上記開口からの隙間Ａ内への異物の入り込みも防ぐことができる。
【００４２】
以上、本発明の実施形態を１つの実施例を用いて説明したが、本発明は上記実施例のほか各種の形態で実施することができるものである。例えば、本発明の「乗物用シート」は、鉄道等の自動車以外の車両や、航空機、船舶等の様々な乗物用に供されるシートにも広く適用することができるものである。
【００４３】
また、上記実施例では、乗物本体上に設けられた設置物として、フロアＦ上に設けられた横隣りのシート１００の支持台１１０を例示したが、設置物は、乗物用シートの横に隣り合って設けられるものであればよく、センタコンソールやシートやドアトリム等の他の設置物であってもよい。また、設置物は、乗物用シートの前後に隣り合って設けられるものであってもよい。
【００４４】
また、隙詰め部材の第１の隙詰め部は、乗物用シートの設置物と隣り合う側面部に沿って水平方向に延びる構成となっていればよく、必ずしも「水平」に延びる構成となっていなくてもよい。また、第２の隙詰め部は、第１の隙詰め部に対して重力方向に傾いた形で側面部の水平方向の端部に向かって延びる構成となっていればよく、第１の隙詰め部に対して重力方向に傾く形状は、直線状、湾曲状、階段状、又はこれらを組み合わせた形状等の形で傾くものであってもよい。また、第２の隙詰め部は、第１の隙詰め部のどちら側の端部から延びる形に形成されていてもよく、両側の端部から延びる形に形成されていてもよい。
【００４５】
具体的には、上記隙詰め部材のその他の実施形態として、図９や図１０に示すものが挙げられる。図９に示す隙詰め部材２０は、サイドシールド１２（側面部）の前後方向の中央部に、サイドシールド１２に沿って前後方向（水平方向）に延びる第１の隙詰め部２０Ｃが形成され、その前後に、第１の隙詰め部２０Ｃに対して重力方向に傾いた形でサイドシールド１２の前後方向の各端部に向かってアーチ状に湾曲して延びる第２の隙詰め部２０Ｄが形成された構成とされているものである。このような構成となっていることにより、隙詰め部材２０の上部に落ちた小物を、前後どちら側にも滑り落とせるようにすることができる。
【００４６】
また、図１０に示す隙詰め部材２０は、サイドシールド１２（側面部）に沿って前後方向（水平方向）に延びる第１の隙詰め部２０Ｅが、サイドシールド１２の前後方向の中央部の僅かな領域にしか形成されておらず、その前後に、第１の隙詰め部２０Ｅに対して重力方向に傾いた形でサイドシールド１２の前後方向の各端部に向かって直線状に傾斜して延びる第２の隙詰め部２０Ｆが形成された構成とされているものである。このような構成となっていることにより、隙詰め部材２０の前後方向のどの領域上に小物が落ちた場合でも、その落ちた小物を前後どちらかに滑り落とせるようにすることができる。
【００４７】
また、上記実施例では、隙詰め部材として、ゴム製のチューブに布製の表皮を巻いたものを例示したが、隙詰め部材は、スポンジなどの弾性材の他、樹脂材や金属材等の比較的高い剛性の部材によって形成されたものであってもよい。また、乗物用シートの側面部に対する隙詰め部材の取り付けは、接着や圧入等の差込み式の締結構造以外の結合によって行われていてもよい。
【符号の説明】
【００４８】
１      シート
２      シートバック
３      シートクッション
４      ヘッドレスト
１０    支持台
１１    アームレスト
１２    サイドシールド（側面部）
１２Ａ  上部領域
１２Ｂ  段差部
１２Ｃ  下部領域
１２Ｄ  差込口
１２Ｅ  取出口
１２Ｆ  凹条
１２Ｆ１  締結孔
１２Ｆ２  通し孔
１３    裏当て部材
１３Ａ  ビス
２０    隙詰め部材
２０Ａ  第１の隙詰め部
２０Ｂ  第２の隙詰め部
２０Ｃ  第１の隙詰め部
２０Ｄ  第２の隙詰め部
２０Ｅ  第１の隙詰め部
２０Ｆ  第２の隙詰め部
２１    チューブ
２２    カバー
２３    クリップ
１００  横隣りのシート
１１０  （横隣りの）支持台（設置物）
Ｐ      ポケット
Ｆ      フロア（乗物本体）
Ａ      隙間
【図１】
0006409585.tif 000002
【図２】
0006409585.tif 000003
【図３】
0006409585.tif 000004
【図４】
0006409585.tif 000005
【図５】
0006409585.tif 000006
【図６】
0006409585.tif 000007
【図７】
0006409585.tif 000008
【図８】
0006409585.tif 000009
【図９】
0006409585.tif 000010
【図１０】
0006409585.tif 000011